【手続補正書】
【提出日】平成17年10月3日(2005.10.3)
【手続補正１】
【補正対象書類名】明細書
【補正対象項目名】全文
【補正方法】変更
【補正の内容】
【書類名】        明細書
【発明の名称】    空気袋
【特許請求の範囲】
【請求項１】    椅子やベッド等の施療機本体に１以上が配備され、これに連通するよう設置された給排気装置からの圧縮空気の給排で各々が膨縮して施療者に対する圧迫施療を行なう空気袋であって、該空気袋は、上面の表面積が下面の表面積に比して大ならしめるよう構成した事を特徴とする空気袋。
【請求項２】    椅子やベッド等の施療機本体に１以上が配備され、これに連通するよう設置された給排気装置からの圧縮空気の給排で各々が膨縮して施療者に対する圧迫施療を行なう空気袋であって、該空気袋は、上面の表面積が下面の表面積に比して大ならしめるよう上面側に１以上の膨らみ代を設けて構成した事を特徴とする空気袋。
【請求項３】    椅子やベッド等の施療機本体に１以上が配備され、これに連通するよう設置された給排気装置からの圧縮空気の給排で各々が膨縮して施療者に対する圧迫施療を行なう空気袋であって、該空気袋は、上面の表面積が下面の表面積に比して大ならしめるよう上面一側に膨らみ代を設けて雫形状に膨張するよう構成した事を特徴とする空気袋。
【請求項４】 前記空気袋は、反膨らみ代側の外周溶着部を施療機に対を成すよう各々止着する事で、各止着側の外周溶着部を基点とした膨張を行い、両空気袋による施療者への圧迫挟持や圧迫押広等の圧迫施療を行わせる事ができるようにした事を特徴とする請求項３記載の空気袋。
【発明の詳細な説明】
【０００１】
【産業上の利用分野】
本発明は、施療機に任意且つ適宜に配設され、エア給排気装置からの圧空の給排により膨縮し得るようにした空気袋に関するものである。
【０００２】
【従来の技術】
従来、使用者の被施療部位を空気袋の膨脹・収縮に伴い圧迫・弛緩させて施療をする施療機において、施療用の施療子として使用される空気袋は、特開２００２−１７７３５８に示したような平面状シートの周端部を溶着等により形成したり、また別の方法としてはブロー成形法により形成したりされている。
【０００３】
また、施療効果を高めるために前記したような空気袋を二段に重ねることにより、これらによる圧迫力を増加させたり、特開２００２−１９１６５８に示したように、空気袋を蛇腹状に形成して空気袋の膨張方向を強化させたりするようにしたものがある。
【０００４】
【発明が解決しようとする課題】
ところで、２枚の平面状シートの周端部を溶着等により製作される空気袋の場合において、膨らみ代を大きくして圧迫効果を向上させようとしても、それだけシートの平面積を要することになり、設置上の不利が生じてしまう。
【０００５】
またこのような空気袋を重ねて使用することにより、圧迫力を強めたり、空気袋の膨張方向を斜め方向に可変させたりする方法もあるが、各空気袋の夫々個々に給排気口を有するよう製造しなければならず、しかも、これらの各給排気口には個別に給排気装置の送気管を接続する必要があるため、空気袋の設置数や重ね合わせ数が多い程、各空気袋に対する送気管の数も多く必要となるので、送気管のコストが嵩み施療機全体のコストを高騰させる一因となる。
【０００６】
更に、多数の送気管を配設する必要がある事で、空気袋の設置場所においても送気管が邪魔になり、重ね合わされている空気袋間一部の送気管が挟まれて、空気袋の膨縮動作に悪影響を及ぼすという問題も生じる。
【０００７】
そこで、本発明は、上記問題点を解消する為に成されたものであり、安価なコストで容易に製造でき、施療者側に対する突出量を拡大させて、施療者への圧迫施療効果を大幅に向上させると事ができるようにした空気袋を提供する事を目的とするものである。
【０００８】
【課題を解決するための手段】
すなわち、本発明の空気袋は、椅子やベッド等の施療機本体に１以上が配備され、これに連通するよう設置された給排気装置からの圧縮空気の給排で各々が膨縮して施療者に対する圧迫施療を行なう空気袋であって、該空気袋は、上面の表面積が下面の表面積に比して大ならしめるよう構成した事を特徴とするものである。
【０００９】
また、本発明の空気袋は、上面の表面積が下面の表面積に比して大ならしめるよう上面側に１以上の膨らみ代を設けた空気袋である事を特徴とするものでもある。
【００１０】
更に本発明の空気袋は、上面の表面積が下面の表面積に比して大ならしめるよう上面一側に膨らみ代を設けて雫形状に膨張するよう構成した空気袋である事を特徴とするものである。
【００１１】
更にまた本発明の空気袋は、反膨らみ代側の外周溶着部を施療機に対を成すよう各々止着することで、各止着側の外周溶着部を基点とした膨張を行い、両空気袋による施療者への圧迫挟持や圧迫押広等の圧迫施療を行わせるようにした事を特徴とするものである。
【００１２】
本発明の空気袋は、上記のように構成することにより次のような作用をもたらす。
すなわち本発明の空気袋では、上下の軟質シートを重ね合わせて接合形成される空気袋を、その上面の表面積が下面の表面積に比して大ならしめるよう構成している為、収縮時の空気袋の設置面積は従来と同様であるが、膨張時において、空気袋の上面側突出量を大幅に拡大させる事ができ、施療者に対する圧迫効果を増加する事ができる。
【００１３】
【発明の実施の形態】
以下に、本発明の空気袋を、図面に示す一実施形態に基づきこれを詳細に説明する。
図１と図２は本発明の空気袋を使用した施療機の一実施形態を示す説明図であり、図３から図５は本発明の空気袋の一実施形態を示す斜視図であり、図６から図９は本発明の空気袋の膨縮状態を示す説明図であり、図１０と図１１は本発明の空気袋の袋体製造方法の一実施形態を示す説明図であり、図１２は本発明の空気袋を使用した施療機の使用状態を示す説明図である。
【００１４】
図１及び図２は、本発明の空気袋を使用した施療機の一実施形態を示すものであるが、該施療機本体１には、座部１１及び起倒可能な背もたれ部１２と、肘掛け部１３や足載台１４が設けられており、図面では、背もたれ部１２や座部１１及び足乗せ台１４に各々空気袋２を配設したものを例示している。
【００１５】
前記空気袋２には、図１及び図２に示すように空気を給排気させる給排気装置３が送気管２６を介して連通状に配備されており、該給排気装置３には制御機構（図示せず）等を設けて、空気袋２に空気を供給したり空気袋２から空気を抜いたりする制御を行えるようにしている。
【００１６】
空気袋２は、伸縮性があり溶着が可能な樹脂やナイロンで形成されるが、図３（膨張時）及び図４（収縮時）に示すように空気の給排気によって膨張と収縮が繰り返し行なえるように形成される。尚、２２は外周溶着部であり、該外周溶着部２２は、前記空気袋２の上面シート２１１外周縁と下面シート２１２外周縁を一体的に溶着させた部位である。
【００１７】
前記空気袋２は、前述したように上面シート２１１と下面シート２１２とで構成されており、図６と図７で示すように、該空気袋２の上面シート２１１を下面シート２１２より大きく形成して、上面シート２１１に膨らみ代を設けた状態でこれら上面シート２１１と裏シート２１２とを外周溶着部２２で溶着して一体化してある。
【００１８】
また、前記下面シート２１２にはその適所に送気口２４が穿設（図６乃至図９では略々中央に設けた例を示している）されており、該送気口２４に送気管２６が結合される送気バルブ２５を流通可能に挿入した後、溶着などにより結合して形成されるものを例示している。
【００１９】
更に、前記空気袋２で使用される上面シート２１１と下面シート２１２は、それぞれ伸縮性のある溶着可能な樹脂或いはナイロンで構成されるが、これら上面シート２１１や下面シート２１２の双方を、中央に膨らみ代を設けたものにする事で、空気袋２の給気時（膨張時）の上方への全体突出量を大幅に増加させる事ができるようになる。
【００２０】
図３乃至図５及び図６・図８で示す実施形態は、空気袋２を形成する上面シート２１１の表面積が下面シート２１１の平面積よりも大きく形成した場合のものを例示しており、該空気袋２は、その膨張時に上面シート２１１の中央が隆起するよう膨らみ代が設けられている。
【００２１】
前記空気袋２の上面シート２１１や下面シート２１１に、このような膨らみ代を適宜の位置に設ける事で、空気袋２の膨張方向を可変する事ができるものであり、施療押圧方向を適宜の方向に設定する事ができるのである。
【００２２】
図７に示した空気袋２は、上面シート２１１と下面シート２１２の双方に楕円形状に膨張するよう略々同形状の膨らみ代を設けた場合を例示し、また、図９に示した空気袋２は、上面シート２１１と下面シート２１２の双方に雫形状に膨張するよう膨らみ代を設けた場合を例示しておりこのように双方に膨らみ代を適宜の形状になるよう設ける事で、空気袋２が膨張させた場合に、圧迫力を増加させながら、図７では上方へ隆起し、図８及び図9では反膨らみ代側の外周溶着部２２を施療機に対を成すよう各々止着することで、各止着側の外周溶着部２２を基点とした膨張を行い、左右一方向へ隆起するよう隆起させる事ができる。
【００２３】
次に、本発明の空気袋２の袋体製造方法を図１０及び図１１に示す一実施形態により説明すると、図面では、空気袋２を構成する為に、空気袋２を形成するシート材２１を凹状の金型４１と、該金型４１を加熱する加熱器４２と、該加熱器４２により加熱されたシート材２１を金型４１の表面に吸引吸着する為の減圧器４３と、上下のシート材２１同士を溶着して切断するための溶着切断器４４とから構成した袋体成形装置４を使用する場合を例示している。
【００２４】
そこで、先ず前記袋体成形装置４の金型４１の上部にシート材２１を載置し、次いで加熱器４２による加熱を施しながら減圧器４３による減圧によりシート材２１を金型表面に吸引吸着させて象り、上面シート２１１を形成する。そして送気口２４が穿設された別のシート材２１（下面シート２１２）を金型４１によって象られた上面シート２１１の上面に載置した後、空気袋２の外形に合わせて溶着切断する事のできる溶着切断器４４により溶着すると共に、この外周溶着部２２で切断する事により密閉空気室２３を形成した図６のような空気袋２を構成する事ができるのである。
【００２５】
図１１は、前記の袋体製造方法を用いて、施療膨縮方向を可変させる事ができる空気袋２を製造する一実施形態を示すものであり、ここでは、金型凹部４１１の開口形の一辺側が深底部４１２となり、対向辺側が浅底部４１３となっている金型４１を用いた袋体成形装置４を使用する場合を例示している。
【００２６】
そして、前記袋体成形装置４を使用して、同様に金型４１の上部にシート材２１を載置し、次いで加熱器４２による加熱を施しながら減圧器４３による減圧によりシート材２１を金型表面に吸引吸着させて象り、上面シート２１１を形成する。そして送気口２４が穿設された別のシート材２１（下面シート２１２）を金型４１によって象られた上面シート２１１の上面に載置した後、空気袋２の外形に合わせて溶着切断する事のできる溶着切断器４４により溶着すると共に、この外周溶着部２２で切断する事により密閉空気室２３を形成した図７のような空気袋２を構成する事ができるのである。
【００２７】
尚、前記空気袋２を形成する上面シート２１１と下面シート２１２を形成するシート材２１は、例えば６．６ナイロンや塩化ビニールなど気密性及び伸縮性を有し、且つ溶着が容易なプラスチック製のシート状素材を用いて製造されるが、これらに限定するものではなく、これら上面シート２１１と下面シート２１２の外周溶着部２２を溶着して袋状に形成できるものであればどのような材質のものでも良い。
【００２８】
このような本発明の空気袋２を形成し、椅子やベッドに配設する事により圧迫幅を大幅に増加する事ができる施療機を構成する事ができ、これらに加えて、揉み機能や叩き機能或いはバイブレータ機能等の施療機能を併用する事で更なる施療効果を得る事ができる施療機を構成する事もできる。
【００２９】
更に本発明の空気袋２は、従来の空気袋に比べて、その突出隆起幅を大幅に向上する事ができるので、図２に示すような高密度の空気袋２配置を可能にする事ができ、これによってより複雑且つ繊細な施療機を構成する事ができる。
【００３０】
【発明の効果】
よって、本発明の空気袋は、上下の軟質シートを重ね合わせて接合形成される空気袋を、その上面の表面積が下面の表面積に比して大ならしめるよう構成している為、従来の空気袋とは異なり、収縮時の空気袋の設置面積は従来と同様であるが、膨張時において、空気袋の上面側突出量を大幅に拡大させる事ができ、施療者に対する圧迫挟持や圧迫押広等の圧迫効果を増加する事ができる施療機の製作に大いに役立つものとなる。
【００３１】
また本発明の空気袋は、その上面及び下面に膨らみ代を設けた空気袋や、雫形状に膨張する膨らみ代を設けた空気袋にする事ができる為、従来の空気袋とは異なり、その膨張隆起方向を適宜に設定した施療機を容易に製造する事ができる。
【００３２】
更に本発明の空気袋は、その突出隆起幅を大幅に向上する事ができるよう構成した空気袋であるので、従来の空気袋とは異なり、空気袋を高密度に配置して、複雑且つ繊細な施療機を製造する事ができる。
【００３３】
本発明の空気袋を使用すれば、施療者の要望に適応させた施療機を容易に製造する事ができるようになる為、その利用範囲は無限である。
【図面の簡単な説明】
【図１】
本発明の空気袋を使用した施療機の一実施形態を示す説明図である。
【図２】
本発明の空気袋を使用した施療機の一実施形態を示す説明図である。
【図３】
本発明の空気袋の一実施形態を示す斜視図である。
【図４】
本発明の空気袋の一実施形態を示す斜視図である。
【図５】
本発明の空気袋の一実施形態を示す斜視図である。
【図６】
本発明の空気袋の膨縮状態を示す説明図である。
【図７】
本発明の空気袋の膨縮状態を示す説明図である。
【図８】
本発明の空気袋の膨縮状態を示す説明図である。
【図９】
本発明の空気袋の膨縮状態を示す説明図である。
【図１０】
本発明の空気袋の袋体製造方法の一実施形態を示す説明図である。
【図１１】
本発明の空気袋の袋体製造方法の一実施形態を示す説明図である。
【図１２】
本発明の空気袋を使用した施療機の使用状態を示す説明図である。
【符号の説明】
１  施療機本体
２  空気袋
２１１  上面シート
２１２  下面シート
２２  外周溶着部
３  給排気装置